(57)【要約】      （修正有）【課題】１台の車で来店した複数人の顧客が、それぞれ媒体を使用して買物をした場合に、その合計金額に基づいて駐車料金を算出することが可能な駐車料金管理装置およびプログラムを提供する。【解決手段】駐車場に入庫する車両を特定する車両特定情報および入庫時刻を取得する第１車両特定情報取得部と、複数の顧客をそれぞれ特定する複数の顧客特定情報を取得する顧客特定情報取得部と、車両特定情報と複数の顧客特定情報とを対応付けて記憶する顧客特定情報記憶部と、複数の顧客特定情報に関連付けてそれぞれ商品を購入した合計金額を、車両特定情報に対応付けて記憶する合計金額記憶部と、駐車場から出庫する車両を特定する車両特定情報および出庫時刻を取得する第２車両特定情報取得部と、車両の駐車時間を算出する駐車時間算出部と、合計金額と駐車時間に基づいて、駐車料金を算出する駐車料金算出部と、駐車料金の情報を出力する出力部と、を備える。【選択図】図１６
2019128780.tif 000002
【特許請求の範囲】
【請求項１】
駐車場に入庫する車両を特定する車両特定情報および入庫時刻を取得する第１車両特定情報取得部と、
複数の顧客をそれぞれ特定する複数の顧客特定情報を取得する顧客特定情報取得部と、
取得した前記車両特定情報と前記複数の顧客特定情報とを対応付けて記憶する顧客特定情報記憶部と、
前記複数の顧客特定情報に関連付けてそれぞれ商品を購入した購入金額を合計した合計金額を、前記車両特定情報に対応付けて記憶する合計金額記憶部と、
前記駐車場から出庫する車両を特定する車両特定情報および出庫時刻を取得する第２車両特定情報取得部と、
前記第１車両特定情報取得部が取得した車両特定情報および入庫時刻と、前記第２車両特定情報取得部が取得した車両特定情報および出庫時刻と、に基づいて、当該車両の駐車時間を算出する駐車時間算出部と、
前記合計金額記憶部が記憶した合計金額と、前記駐車時間算出部が算出した駐車時間と、に基づいて、前記車両特定情報で特定される車両の駐車料金を算出する駐車料金算出部と、
算出した駐車料金の情報を出力する出力部と、
を備えた駐車料金管理装置。
【請求項２】
駐車場に入庫する車両を特定する車両特定情報および入庫時刻を取得する第１車両特定情報取得部と、
複数の顧客をそれぞれ特定する複数の顧客特定情報を取得する顧客特定情報取得部と、
取得した前記車両特定情報と前記複数の顧客特定情報とを対応付けて記憶する顧客特定情報記憶部と、
前記複数の顧客特定情報に関連付けてそれぞれ商品を購入した購入金額を、前記複数の顧客特定情報にそれぞれ対応付けて記憶する購入金額記憶部と、
前記駐車場から出庫する車両を特定する車両特定情報および出庫時刻を取得する第２車両特定情報取得部と、
前記第１車両特定情報取得部が取得した車両特定情報および入庫時刻と、前記第２車両特定情報取得部が取得した車両特定情報および出庫時刻と、に基づいて、当該車両の駐車時間を算出する駐車時間算出部と、
前記購入金額記憶部が記憶した複数の購入金額のうち、決められた優先順位に基づいて定められた購入金額と、前記駐車時間算出部が算出した駐車時間と、に基づいて、前記車両特定情報で特定される車両の駐車料金を算出する駐車料金算出部と、
算出した駐車料金の情報を出力する出力部と、
を備えた駐車料金管理装置。
【請求項３】
前記顧客特定情報取得部は、予め車両番号と顧客特定情報とを対応付けて記憶されている対応記憶部から複数の顧客特定情報を取得する、
請求項１または２に記載の駐車料金管理装置。
【請求項４】
前記第１車両特定情報取得部は、一または複数の顧客特定情報を取得し、
前記顧客特定情報取得部は、前記第１車両特定情報取得部が取得した前記一または複数の顧客特定情報に基づいて複数の顧客特定情報を取得する、
請求項１乃至３のいずれか一に記載の駐車料金管理装置。
【請求項５】
前記第１車両特定情報取得部は、駐車場に入庫する車両を撮像した画像に基づいて前記車両特定情報を取得するとともに、前記撮像した時刻を前記入庫時刻として取得し、
前記第２車両特定情報取得部は、駐車場から出庫する車両を撮像した画像に基づいて前記車両特定情報を取得するとともに、前記撮像した時刻を前記出庫時刻として取得する、
請求項１乃至４のいずれか一に記載の駐車料金管理装置。
【請求項６】
駐車料金管理装置としてのコンピュータを、
駐車場に入庫する車両を特定する車両特定情報および入庫時刻を取得する第１車両特定情報取得部と、
複数の顧客をそれぞれ特定する複数の顧客特定情報を取得する顧客特定情報取得部と、
取得した前記車両特定情報と前記複数の顧客特定情報とを対応付けて記憶する顧客特定情報記憶部と、
前記複数の顧客特定情報に関連付けてそれぞれ商品を購入した購入金額を合計した合計金額を、前記車両特定情報に対応付けて記憶する合計金額記憶部と、
前記駐車場から出庫する車両を特定する車両特定情報および出庫時刻を取得する第２車両特定情報取得部と、
前記第１車両特定情報取得部が取得した車両特定情報および入庫時刻と、前記第２車両特定情報取得部が取得した車両特定情報および出庫時刻と、に基づいて、当該車両の駐車時間を算出する駐車時間算出部と、
前記合計金額記憶部が記憶した合計金額と、前記駐車時間算出部が算出した駐車時間と、に基づいて、前記車両特定情報で特定される車両の駐車料金を算出する駐車料金算出部と、
算出した駐車料金の情報を出力する出力部と、
として機能させるためのプログラム。
【発明の詳細な説明】
【技術分野】
【０００１】
本発明の実施形態は、駐車料金管理装置およびプログラムに関する。
【背景技術】
【０００２】
従来から、スーパーマーケットやショッピングセンター等では、自家用車等の車での来店者のために駐車場を備えていることがある。車で来店した顧客は、入庫する際に駐車場の入口で発券された駐車券を受取り、出庫する際に駐車券を機械に通すことで、駐車時間に応じた駐車料金を支払う。駐車料金は、店内での商品の購入金額に応じて減額されることがある。
【０００３】
また、最近は、入庫時と出庫時に、車のナンバープレートに表示された当該車を特定する数字（以降「車両番号」という）を撮像して認識するとともに、認識した車両番号に基づいて顧客が使用するクレジットカード等の媒体の番号を特定し、特定した媒体を用いた買物の購入金額を勘案した駐車料金を算出する技術が知られている。
【０００４】
しかしながら、１台の車に複数人の顧客が乗車して来店し、それぞれの顧客が自身の媒体を用いて買物をした場合、使用された複数の媒体に基づいて駐車料金を算出することができなかった。
【発明の概要】
【発明が解決しようとする課題】
【０００５】
本発明が解決しようとする課題は、１台の車で来店した複数人の顧客が、それぞれ別の媒体を使用して買物をした場合に、そのすべての買物の合計金額に基づいて駐車料金を算出することが可能な駐車料金管理装置およびプログラムを提供することである。
【０００６】
本発明が解決しようとする課題は、１台の車で来店した複数人の顧客が、それぞれ別の媒体を使用して買物をした場合に、決められた媒体の優先順位に基づいて駐車料金を算出することが可能な駐車料金管理装置およびプログラムを提供することである。
【課題を解決するための手段】
【０００７】
実施形態の駐車料金管理装置は、駐車場に入庫する車両を特定する車両特定情報および入庫時刻を取得する第１車両特定情報取得部と、複数の顧客をそれぞれ特定する複数の顧客特定情報を取得する顧客特定情報取得部と、取得した前記車両特定情報と前記複数の顧客特定情報とを対応付けて記憶する顧客特定情報記憶部と、前記複数の顧客特定情報に関連付けてそれぞれ商品を購入した購入金額を合計した合計金額を、前記車両特定情報に対応付けて記憶する合計金額記憶部と、前記駐車場から出庫する車両を特定する車両特定情報および出庫時刻を取得する第２車両特定情報取得部と、前記第１車両特定情報取得部が取得した車両特定情報および入庫時刻と、前記第２車両特定情報取得部が取得した車両特定情報および出庫時刻と、に基づいて、当該車両の駐車時間を算出する駐車時間算出部と、前記合計金額記憶部が記憶した合計金額と、前記駐車時間算出部が算出した駐車時間と、に基づいて、前記車両特定情報で特定される車両の駐車料金を算出する駐車料金算出部と、算出した駐車料金の情報を出力する出力部と、を備える。
【図面の簡単な説明】
【０００８】
【図１】図１は、実施形態に係る駐車料金管理システムを示す概略図である。
【図２】図２は、ゲート装置のハードウェア構成を示すブロック図である。
【図３】図３は、ＰＯＳ端末のハードウェア構成を示すブロック図である。
【図４】図４は、顧客サーバのハードウェア構成を示すブロック図である。
【図５】図５は、顧客情報部のメモリ構成を示すメモリマップである。
【図６】図６は、駐車管理サーバのハードウェア構成を示すブロック図である。
【図７】図７は、駐車料金情報部のメモリ構成を示すメモリマップである。
【図８】図８は、駐車料金部のメモリ構成を示すメモリマップである。
【図９】図９は、ゲート装置の機能構成を示す機能ブロック図である。
【図１０】図１０は、ゲート装置の制御処理の流れを示すフローチャートである。
【図１１】図１１は、顧客サーバの機能構成を示す機能ブロック図である。
【図１２】図１２は、顧客サーバの制御処理の流れを示すフローチャートである。
【図１３】図１３は、ＰＯＳ端末の機能構成を示す機能ブロック図である。
【図１４】図１４は、ＰＯＳ端末の制御処理の流れを示すフローチャートである。
【図１５】図１５は、駐車管理サーバの機能構成を示す機能ブロック図である。
【図１６】図１６は、駐車管理サーバの制御処理の流れを示すフローチャートである。
【発明を実施するための形態】
【０００９】
以下、図面を参照して、実施形態について詳細に説明する。実施形態は、駐車管理サーバを駐車料金管理装置の一例として説明する。以下に説明する実施形態によりこの発明が限定されるものではない。
【００１０】
（第１実施形態）
図１は、第１実施形態に係る駐車料金管理システムを示す概略図である。駐車料金管理システムは、ショッピングセンターＳ内に、一または複数の店舗Ｔが存在する。ショッピングセンターＳの敷地には駐車場を備える。駐車場の入口には車（車両）の入車を規制する遮断機式の入ゲートを備える。駐車場の出口には車の出車を規制する遮断機式の出ゲートを備える。
【００１１】
ショッピングセンターＳ内には、駐車管理サーバ１と、ゲート装置３と、顧客サーバ７（対応記憶部）を備える。駐車管理サーバ１は、車の入庫時刻と出庫時刻を管理するコンピュータである。また、駐車管理サーバ１は、車の駐車料金を算出する。ゲート装置３は、入ゲートと出ゲートを開放状態および閉止状態に動作させるコンピュータである。また、ゲート装置３は、駐車場の駐車可能台数と入庫した車の台数と出庫した車の台数とから、駐車場に駐車している車の台数とまだ駐車可能な駐車可能台数を管理する。顧客サーバ７は、顧客が保有するカード（クレジットカード、ポイントカード等）を特定するカード番号（顧客特定情報）に基づいて、顧客情報を管理するコンピュータである。クレジットカードの場合は、クレジットで商品を購入する際に使用するクレジット番号がカード番号である。ポイントカードの場合は、ポイントを顧客別に累積するポイントカードを特定するポイントカード番号がカード番号である。いずれのカード番号も、顧客を特定する番号であり、かつカードを特定する番号である。駐車管理サーバ１と、ゲート装置３と、顧客サーバ７は、互いに通信回線Ｌ（例えばＬＡＮ（Local  Area  Network））によって、相互に通信可能に接続されている。なお、通信可能に接続とは、相互に情報の送受信が行えることであり、有線、無線のいずれの接続であってもよい。
【００１２】
また、ショッピングセンターＳ内には、テナントやスーパーマーケットやコンビニエンスストア等の、一または複数の店舗Ｔが設けられている。各店舗Ｔには、一台または複数台のＰＯＳ（Point  of  Sales）端末５が設置されている。ＰＯＳ端末５は、駐車管理サーバ１、ゲート装置３、顧客サーバ７と相互に通信回線Ｌで通信可能に接続されている。
【００１３】
ＰＯＳ端末５は、店舗Ｔで販売される商品の売上登録処理および決済処理を実行する。売上登録処理とは、販売される商品に付されたバーコード等のシンボルの画像を撮像、または光学的に読み取って商品コードを取得し、取得した商品コードに基づいて商品マスタから読み出した、当該商品の商品情報（商品名、価格等）を表示するとともに、当該商品情報をＲＡＭ等に記憶する処理をいう。決済処理とは、売上登録処理に伴いＲＡＭ等に記憶された商品情報に基づいて、当該取引に係る合計金額の表示、顧客から預かった預り金に基づいて釣銭額を計算して表示する処理等をいう。また、ＰＯＳ端末５は、商品情報や決済情報を印字したレシートを発行する。また、ＰＯＳ端末５は、商品情報や決済情報等を、売上データとして通信回線Ｌを介して駐車管理サーバ１に送信する。
【００１４】
次に、ゲート装置３のハードウェア構成について説明する。図２は、ゲート装置３のハードウェア構成を示すブロック図である。図２に示すように、ゲート装置３は、ＣＰＵ（Central  Processing  Unit）３１、ＲＯＭ（Read  Only  Memory）３２、ＲＡＭ（Random  Access  Memory）３３、メモリ部３４等を備えている。ＣＰＵ３１は制御主体となる。ＲＯＭ３２は各種プログラムを記憶する。ＲＡＭ３３はプログラムや各種データを展開する。メモリ部３４は各種プログラムを記憶する。ＣＰＵ３１、ＲＯＭ３２、ＲＡＭ３３、メモリ部３４は、互いにバス３５を介して接続されている。ＣＰＵ３１とＲＯＭ３２とＲＡＭ３３が、制御部３００を構成する。すなわち、制御部３００は、ＣＰＵ３１がＲＯＭ３２やメモリ部３４に記憶されＲＡＭ３３に展開された制御プログラムに従って動作することによって、後述するゲート装置３に係る制御処理を実行する。
【００１５】
メモリ部３４は、電源を切っても記憶情報が保持されるＨＤＤ（Hard  Disc  Drive）やフラッシュメモリ等の不揮発性メモリで構成される。メモリ部３４は、制御プログラム部３４１を備える。制御プログラム部３４１は、ゲート装置３を制御するための制御プログラムを記憶する。
【００１６】
また、制御部３００は、バス３５を介してタイマー４４と接続している。タイマー４４は、リアルタイムで時刻を計時する。タイマー４４によって車の入庫時刻と出庫時刻が計時される。また、制御部３００は、バス３５およびコントローラ３６を介して、表示部３７、カード読取部３８、カメラ部３９、投入部４０、払出部４１、操作部４２、入庫センサ４６、出庫センサ４７と接続している。表示部３７は、駐車料金等を表示する。カード読取部３８は、顧客が所有するカードに記憶されたカード番号を磁気的または電気的に読み取る。カメラ部３９は、車に表示された、車両特定情報の一例である車両番号（プレートナンバー）を撮像する。投入部４０は、顧客が出ゲート付近で支払う駐車料金としての紙幣や硬貨の入金を受付ける。払出部４１は、受付けられた入金と駐車料金とに基づいて、釣銭がある場合は釣銭額に相当する釣銭を払い出す。操作部４２は、カードに記憶されたカード番号をカード読取部３８に読み取らせるために操作する入庫ボタン４２１を備える。入庫ボタン４２１を操作すると、カード読取部３８によるカード番号の読取が可能となる。入庫センサ４６は、入ゲートから駐車場に入庫しようとしている車を検知する。出庫センサ４７は、出ゲートから駐車場外に出庫しようとしている車を検知する。
【００１７】
また、制御部３００は、バス３５を介して、通信部４５と接続している。通信部４５は、通信回線Ｌを介して、駐車管理サーバ１、ＰＯＳ端末５、顧客サーバ７と通信可能に接続している。
【００１８】
次に、ＰＯＳ端末５のハードウェア構成について説明する。図３は、ＰＯＳ端末５のハードウェア構成を示すブロック図である。図３に示すように、ＰＯＳ端末５は、ＣＰＵ５１、ＲＯＭ５２、ＲＡＭ５３、メモリ部５４等を備えている。ＣＰＵ５１は制御主体となる。ＲＯＭ５２は各種プログラムを記憶する。ＲＡＭ５３はプログラムや各種データを展開する。メモリ部５４は各種プログラムを記憶する。ＣＰＵ５１、ＲＯＭ５２、ＲＡＭ５３、メモリ部５４は、互いにバス５５を介して接続されている。ＣＰＵ５１とＲＯＭ５２とＲＡＭ５３が、制御部５００を構成する。すなわち、制御部５００は、ＣＰＵ５１がＲＯＭ５２やメモリ部５４に記憶されＲＡＭ５３に展開された制御プログラムに従って動作することによって、後述するＰＯＳ端末５に係る制御処理を実行する。
【００１９】
ＲＡＭ５３は、商品情報部５３１を備えている。商品情報部５３１は、シンボル読取部６１で読み取ったシンボルから取得した商品コードに基づいて売上登録処理された商品の商品情報（商品名、商品の価格等）を記憶する。
【００２０】
メモリ部５４は、電源を切っても記憶情報が保持されるＨＤＤやフラッシュメモリ等の不揮発性メモリで構成される。メモリ部５４は、制御プログラム部５４１、商品マスタ５４２等を備える。制御プログラム部５４１は、ＰＯＳ端末５を制御するための制御プログラムを記憶する。商品マスタ５４２は、商品を特定する商品コード別に当該商品に係る商品情報を記憶する。
【００２１】
また、制御部５００は、バス５５およびコントローラ５６を介して、オペレータ用表示部５７、客用表示部５８、操作部５９、印字部６０、シンボル読取部６１、カード読取部６２と接続している。オペレータ用表示部５７は、オペレータに商品情報や決済情報等の情報を表示する。客用表示部５８は、顧客に商品情報や決済情報等の情報を表示する。操作部５９は、テンキーや部門キー等のキーボードである。操作部５９は、決済キー５９１を備える。決済キー５９１は、一取引における売上登録処理を終了し、決済処理を開始する際に操作する。印字部６０は、決済処理された商品の商品情報や決済情報を長尺状の用紙に印字したレシートを発行する。シンボル読取部６１は、商品に付されたバーコードや二次元コード等のシンボルを、光学的に読み取る。または、シンボル読取部６１は、商品に付されたバーコードや二次元コード等のシンボルを撮像する。ＰＯＳ端末５は、読み取ったシンボル、または撮像したシンボルに基づいて、当該シンボルが付された商品を特定する商品コードを取得する。カード読取部６２は、商品を購入する際に用いる媒体であるカードから、顧客特定情報であるカード番号を、磁気的または電気的に取得する。
【００２２】
また、制御部５００は、バス５５を介して、通信部６３と接続している。通信部６３は、通信回線Ｌを介して、ゲート装置３、駐車管理サーバ１、顧客サーバ７と通信可能に接続している。
【００２３】
次に、顧客サーバ７のハードウェア構成について説明する。図４は、顧客サーバ７のハードウェア構成を示すブロック図である。図４に示すように、顧客サーバ７は、ＣＰＵ７１、ＲＯＭ７２、ＲＡＭ７３、メモリ部７４等を備えている。ＣＰＵ７１は制御主体となる。ＲＯＭ７２は各種プログラムを記憶する。ＲＡＭ７３はプログラムや各種データを展開する。メモリ部７４は各種プログラムを記憶する。ＣＰＵ７１、ＲＯＭ７２、ＲＡＭ７３、メモリ部７４は、互いにバス７５を介して接続されている。ＣＰＵ７１とＲＯＭ７２とＲＡＭ７３が、制御部７００を構成する。すなわち、制御部７００は、ＣＰＵ７１がＲＯＭ７２やメモリ部７４に記憶されＲＡＭ７３に展開された制御プログラムに従って動作することによって、後述する顧客サーバ７に係る制御処理を実行する。
【００２４】
メモリ部７４は、電源を切っても記憶情報が保持されるＨＤＤやフラッシュメモリ等の不揮発性メモリで構成される。メモリ部７４は、制御プログラム部７４１、顧客情報部７４２等を備える。制御プログラム部７４１は、ＰＯＳ端末５を制御するための制御プログラムを記憶する。顧客情報部７４２は、顧客を特定する顧客コード別に顧客情報を記憶する。
【００２５】
また、制御部７００は、バス７５およびコントローラ７６を介して、表示部７７、操作部７８と接続している。表示部７７は、情報を表示する。操作部７８は、顧客サーバ７を操作するためのキーボードである。
【００２６】
また、制御部７００は、バス７５を介して、通信部７９と接続している。通信部７９は、通信回線Ｌを介して、ゲート装置３、駐車管理サーバ１、ＰＯＳ端末５と通信可能に接続している。
【００２７】
次に、顧客情報部７４２について説明する。図５は、顧客情報部７４２のメモリ構成を示すメモリマップである。図５に示すように、顧客情報部７４２は、顧客コード部７４２１、顧客データ部７４２２、車両番号部７４２３、カード番号部７４２４を備える。
【００２８】
顧客コード部７４２１は、顧客を特定する顧客特定情報（例えば顧客コード）を記憶する。顧客データ部７４２２は、顧客コード部７４２１に記憶された顧客コードで特定される顧客の諸情報（氏名、住所、電話番号、購入履歴、属性情報、メールアドレス、等）を記憶する。車両番号部７４２３は、顧客コード部７４２１に記憶された顧客コードで特定される顧客が所有する車を特定する車両番号を記憶する。車両番号は予め顧客によって登録されている。カード番号部７４２４は、顧客コード部７４２１に記憶された顧客特定情報で特定される顧客が所有する複数のカードのそれぞれのカード番号を記憶する。カード番号は、予め顧客によって登録されている。第１実施形態では、カード番号部７４２４は、カード番号Ａ部７４２４１、カード番号Ｂ部７４２４２、カード番号Ｃ部７４２４３を有し、最大３種類のカードのカード番号を記憶する。すなわち、カード番号Ａ部７４２４１、カード番号Ｂ部７４２４２、カード番号Ｃ部７４２４３のいずれも、顧客コード部７４２１に一対一に対応している。また、カード番号Ａ部７４２４１、カード番号Ｂ部７４２４２、カード番号Ｃ部７４２４３のいずれも、車両番号部７４２３に一対一に対応している。なお、カード番号部７４２４は、２種類以上のカード番号が記憶できればよく、３種類に限定されるものではない。また、顧客コード部７４２１は、カード番号部７４２４に記憶されたいずれかのカード番号と同一番号であってもよい。また、顧客コード部７４２１は必ずしも必要ではない。
【００２９】
次に、駐車管理サーバ１のハードウェア構成について説明する。図６は、駐車管理サーバ１のハードウェア構成を示すブロック図である。図６に示すように、駐車管理サーバ１は、ＣＰＵ１１、ＲＯＭ１２、ＲＡＭ１３、メモリ部１４等を備えている。ＣＰＵ１１は制御主体となる。ＲＯＭ１２は各種プログラムを記憶する。ＲＡＭ１３はプログラムや各種データを展開する。メモリ部１４は各種プログラムを記憶する。ＣＰＵ１１、ＲＯＭ１２、ＲＡＭ１３、メモリ部１４は、互いにバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述する駐車管理サーバ１に係る制御処理を実行する。
【００３０】
ＲＡＭ１３は、駐車料金情報部１３１を備える。メモリ部１４は、電源を切っても記憶情報が保持されるＨＤＤやフラッシュメモリ等の不揮発性メモリで構成される。メモリ部１４は、制御プログラム部１４１、駐車料金部１４２等を備える。制御プログラム部１４１は、駐車管理サーバ１を制御するための制御プログラムを記憶する。
【００３１】
また、制御部１００は、バス１５およびコントローラ１６を介して、表示部１７、操作部１８と接続している。表示部１７は、情報を表示する。操作部１８は、駐車管理サーバ１を操作するためのキーボードである。
【００３２】
また、制御部１００は、バス１５を介して、通信部１９と接続している。通信部１９は、通信回線Ｌを介して、ゲート装置３、ＰＯＳ端末５、顧客サーバ７と通信可能に接続している。
【００３３】
次に、駐車料金情報部１３１について説明する。図７は、駐車料金情報部１３１のメモリ構成を示すメモリマップである。図７に示すように、駐車料金情報部１３１は、車両番号部１３１１、入庫時刻部１３１２、出庫時刻部１３１３を備える。車両番号部１３１１は、カメラ部３９が撮像した車両番号を記憶する。入庫時刻部１３１２は、車両番号部１３１１に記憶された車両番号に対応して、カメラ部３９が車両番号を撮像した車の入庫時刻を記憶する。出庫時刻部１３１３は、車両番号部１３１１に記憶された車両番号に記憶された車両番号に対応して、カメラ部３９が車両番号を撮像した車の出庫時刻を記憶する。
【００３４】
また、駐車料金情報部１３１は、車両番号部１３１１に記憶された車両番号に対応して、複数のカード番号を記憶する。カード番号Ａ部１３１４には、カード番号Ａ部７４２４１に記憶されたカード番号を記憶する。カード番号Ｂ部１３１５には、カード番号Ｂ部７４２４２に記憶されたカード番号を記憶する。カード番号Ｃ部１３１６には、カード番号Ｃ部７４２４３に記憶されたカード番号を記憶する。
【００３５】
また、カード番号Ｄ部１３１７は、カード読取部３８がカード番号を読み取った場合に、当該カード番号を記憶する。すなわち、車に同乗し、顧客情報部７４２のカード番号部７４２４に記憶されていないカードを持参した顧客は、カード読取部３８で持参したカードを読み取らせると、読み取られたカード番号が、車両番号部１３１１に記憶された車両番号と対応付けられてカード番号Ｄ部１３１７に記憶される。
【００３６】
購入金額部１３１８は、カード番号Ａ部１３１４に記憶されたカード番号のカードを使用して商品が購入された場合に、当該購入商品の購入金額を累積的に記憶する。購入金額部１３１９は、カード番号Ｂ部１３１５に記憶されたカード番号のカードを使用して商品が購入された場合に、当該購入商品の購入金額を累積的に記憶する。購入金額部１３２０は、カード番号Ｃ部１３１６に記憶されたカード番号のカードを使用して商品が購入された場合に、当該購入商品の購入金額を累積的に記憶する。購入金額部１３２１は、カード番号Ｄ部１３１７に記憶されたカード番号のカードを使用して商品が購入された場合に、当該購入商品の購入金額を累積的に記憶する。
【００３７】
合計金額部１３２２は、購入金額部１３１８〜購入金額部１３２１に記憶された購入金額の合計金額が記憶される。すなわち、合計金額部１３２２は、車両番号部１３１１に記憶された車両番号の車で来店した複数の顧客が、それぞれの顧客を特定するカード（すなわち、カード番号Ａ部１３１４〜カード番号Ｄ部１３１７に記憶されたカード番号のカード）で商品を購入した場合、合計金額部１３２２には、当該複数の顧客が購入したすべての商品の合計金額が記憶される。合計金額部１３２２に記憶される合計金額は、車両番号部１３１１に記憶された車両番号に対応付けて記憶される。
【００３８】
なお、図７に示した駐車料金情報部１３１は、一つの車両番号に対応したものであり、実際は、カメラ部３９で読み取られた車両番号の数だけ駐車料金情報部１３１が存在する。
【００３９】
次に、駐車料金部１４２について説明する。図８は、駐車料金部１４２のメモリ構成を示すメモリマップである。図８に示すように、駐車料金部１４２は、駐車時間部１４２１、駐車料金部１４２２、値引金額（２０００円未満）部１４２３、値引金額（２０００円以上）部１４２４を有する。駐車時間部１４２１は、駐車時間を所定時間毎に区分けした時間帯を記憶する。第１実施形態では、０〜１時間（駐車時間が１時間未満）、１時間〜２時間（駐車時間が１時間以上２時間未満）、２時間〜３時間（駐車時間が２時間以上３時間未満）、３時間以上（駐車時間が３時間以上）の４段階に区分けされる。駐車料金部１４２２は、区分けされた時間別の値引きしない駐車料金を記憶する。第１実施形態の場合、０〜１時間は３００円、１時間〜２時間は６００円、２時間〜３時間は９００円、３時間以上は１０００円である。
【００４０】
また、値引金額（２０００円未満）部１４２３は、合計金額部１３２２に記憶された合計金額が２０００円未満の場合に適用する駐車料金を記憶する。第１実施形態の場合、０〜１時間は０円、１時間〜２時間は２００円、２時間〜３時間は４００円、３時間以上は６００円である。また、値引金額（２０００円以上）部１４２４は、合計金額部１３２２に記憶された合計金額が２０００円以上の場合に適用する駐車料金を記憶する。第１実施形態の場合、０〜１時間は０円、１時間〜２時間は０円、２時間〜３時間は２００円、３時間以上は４００円である。
【００４１】
ここからは、ゲート装置３の機能構成について説明する。図９は、ゲート装置３の機能構成を示す機能ブロック図である。図９に示すように、ゲート装置３の制御部３００は、入庫判断部３０１、時刻取得部３０２、カード読取判断部３０３、撮像部３０４、送信部３０５、ゲート開閉部３０６、出庫判断部３０７、料金問い合わせ部３０８、駐車料金判断部３０９として機能する。
【００４２】
入庫判断部３０１は、入庫センサ４６が車を検知した場合に車の入庫を判断する。出庫判断部３０７は、出庫センサ４７が車を検知した場合に車の出庫を判断する。時刻取得部３０２は、入庫判断部３０１が入庫を判断した入庫時刻を、タイマー４４から取得する。また、時刻取得部３０２は、出庫判断部３０７が出庫を判断した出庫時刻を、タイマー４４から取得する。カード読取判断部３０３は、カード読取部３８によってカード番号を読み取られたかを判断する。カード読取判断部３０３は、読み取られたカード番号を取得する。撮像部３０４は、入庫判断部３０１が入庫を判断した車両の車両番号を撮像して当該車両番号を認識する。また、撮像部３０４は、出庫判断部３０７が出庫を判断した車両の車両番号を撮像して当該車両番号を認識する。
【００４３】
送信部３０５は、時刻取得部３０２が取得した入庫時刻と撮像部３０４が認識した入庫した車両の車両番号を、駐車管理サーバ１に送信する。送信部３０５は、カード読取判断部３０３がカード番号を読み取りを判断した場合には、時刻取得部３０２が取得した入庫時刻と撮像部３０４が認識した入庫した車両の車両番号に加え、カード読取判断部３０３が取得したカード番号を駐車管理サーバ１に送信する。ゲート開閉部３０６は、送信部３０５が入庫時刻と車両番号を送信した車両について、入ゲートを開放する。ゲート開閉部３０６は、入庫センサ４６が車を検知しなくなると、入ゲートを閉止する。
【００４４】
料金問い合わせ部３０８は、撮像部３０４が、出庫する車両の車両番号を認識した場合に、当該車両番号と時刻取得部３０２が取得した出庫時刻とを駐車管理サーバ１に送信して、駐車料金を問い合わせる。駐車料金判断部３０９は、料金問い合わせ部３０８の問い合わせに対する駐車管理サーバ１からの応答情報に基づいて、駐車料金の有無を判断する。駐車料金判断部３０９は、支払うべき駐車料金が存在する場合には、駐車料金ありと判断する。駐車料金判断部３０９は、支払うべき駐車料金が存在しない（すなわち０円である）場合には、駐車料金はないと判断する。ゲート開閉部３０６は、駐車料金判断部３０９が駐車料金が０円であると判断した場合に、出ゲートを開放する。ゲート開閉部３０６は、出庫センサ４７が車を検知しなくなると、出ゲートを閉止する。
【００４５】
次に、ゲート装置３の制御処理の流れについて説明する。図１０は、ゲート装置３の制御処理の流れを示すフローチャートである。図１０に示すように、入庫判断部３０１は、入庫センサ４６が車両を検知しているかを判断する（Ｓ１１）。入庫センサ４６が車両を検知していると判断した場合には（Ｓ１１のＹｅｓ）、時刻取得部３０２は、タイマー４４が計時した現在の時刻を入庫時刻として取得する（Ｓ１２）。
【００４６】
顧客は、予め顧客サーバ７にカード番号を登録していないカードを使用する場合、入庫ボタン４２１を操作して、自身が所有するカードのカード番号を読み取らせる。カード読取判断部３０３は、入庫ボタン４２１が操作されたかを判断する（Ｓ２１）。入庫ボタン４２１が操作されたと判断した場合には（Ｓ２１のＹｅｓ）、カード読取判断部３０３は、カード読取部３８がカード番号を読み取ったかを判断する（Ｓ２２）。カード番号を読み取るまで待機し（Ｓ２２のＮｏ）、カード読取判断部３０３が、カード読取部３８がカード番号を読み取ったと判断した場合には（Ｓ２２のＹｅｓ）、撮像部３０４は、入庫センサ４６が検知した車両の車両番号を撮像して認識する（Ｓ２３）。
【００４７】
次に、送信部３０５は、撮像部３０４が認識した車両番号と時刻取得部３０２が取得した入庫時刻を、駐車管理サーバ１に送信する（Ｓ２４）。Ｓ２２の処理において、カード読取判断部３０３が、一または複数のカード番号を読み取ったと判断した場合には、送信部３０５は、Ｓ２４において、車両番号と入庫時刻とともに、Ｓ２２で読み取ったカード番号を送信する。そしてゲート開閉部３０６は、当該車両が入庫できるように、入ゲートを開放する（Ｓ２５）。ゲート開閉部３０６は、車が入庫して、入庫判断部３０１が入庫センサ４６が車両を検知しなくなったと判断した場合には、入ゲートを閉止する（Ｓ２６）。そして制御部３００は、Ｓ１１に戻る。なお、カード読取判断部３０３が、入庫ボタン４２１が操作されていないと判断した場合には（Ｓ２１のＮｏ）、制御部３００は、Ｓ２２の処理を実行することなく、Ｓ２３の処理を実行する。すなわち、カード読取判断部３０３は、入庫ボタン４２１が操作されないと判断した場合には、カード読取部３８によるカード番号の読取を実行しない。
【００４８】
一方、Ｓ１１において、入庫判断部３０１が、入庫センサ４６による車両の検知ではないと判断した場合には（Ｓ１１のＮｏ）、出庫判断部３０７は、出庫センサ４７が車両を検知しているかを判断する（Ｓ３１）。出庫判断部３０７が、出庫センサ４７が車両を検知していると判断した場合には（Ｓ３１のＹｅｓ）、時刻取得部３０２は、タイマー４４が計時した現在の時刻を出庫時刻として取得する（Ｓ３２）。
【００４９】
次に、撮像部３０４は、出庫センサ４７が検知した車両の車両番号を撮像して認識する（Ｓ３３）。そして、料金問い合わせ部３０８は、撮像部３０４が認識した車両番号と時刻取得部３０２が取得した出庫時刻を、駐車管理サーバ１に送信して、駐車管理サーバ１に対して駐車料金の問い合わせを行う（Ｓ３４）。
【００５０】
次に駐車料金判断部３０９は、Ｓ３４の問い合わせに対する応答であって、駐車管理サーバ１から駐車料金の情報を受信したかを判断する（Ｓ３５）。応答を受信するまで待機し（Ｓ３５のＮｏ）、応答を受信したと判断した場合には（Ｓ３５のＹｅｓ）、駐車料金判断部３０９は、受信した駐車料金が無料であるかを判断する（Ｓ３６）。店舗Ｔにおいて商品を購入した結果、駐車料金が無料となった場合には、駐車管理サーバ１から、駐車料金が無料（０円）である旨の応答がある。駐車料金が無料ではない場合には、駐車管理サーバ１から、駐車料金の金額の応答がある。駐車料金判断部３０９は、駐車管理サーバ１から０円の応答があった場合に、駐車料金が無料であると判断する。駐車料金が無料ではないと判断した場合には（Ｓ３６のＮｏ）、次に駐車料金判断部３０９は、受信した駐車料金の精算がなされたかを判断する（Ｓ３７）。顧客が投入部４０に駐車料金以上の金額の金銭を投入して、駐車料金が０円とすることで、駐車料金が精算される。釣銭がある場合は、払出部４１から釣銭額分の釣銭が払い出される。
【００５１】
駐車料金が精算されるまで待機し（Ｓ３７のＮｏ）、駐車料金判断部３０９が、駐車料金が精算されたと判断した場合には（Ｓ３７のＹｅｓ）、ゲート開閉部３０６は、当該車両が出庫できるように、出ゲートを開放する（Ｓ３８）。ゲート開閉部３０６は、車が出庫して、出庫判断部３０７が出庫センサ４７が車両を検知しなくなったと判断した場合には、出ゲートを閉止する（Ｓ３９）。そして制御部３００は、駐車料金の精算が終了したことを示す情報と、当該車の車両番号を駐車管理サーバ１に送信する（Ｓ４０）。駐車管理サーバ１は、駐車料金の精算が終了したことを示す情報と当該車の車両番号を受信すると、当該車に係る駐車料金情報部１３１の情報を消去する。そして制御部３００は、Ｓ１１に戻る。なお、Ｓ３１において、出庫判断部３０７が、出庫センサ４７が車両を検知していないと判断した場合には（Ｓ３１のＮｏ）、制御部３００は、Ｓ１１に戻る。
【００５２】
なお、駐車料金判断部３０９が、駐車料金が無料であると判断した場合には（Ｓ３６のＹｅｓ）、制御部３００は、Ｓ３７の処理を実行することなく、Ｓ３８以降の処理を実行する。
【００５３】
次に、顧客サーバ７の機能構成について説明する。図１１は、顧客サーバ７の機能構成を示す機能ブロック図である。図１１に示すように、顧客サーバ７の制御部７００は、受信判断部７０１、カード番号取得部７０２、カード番号送信部７０３として機能する。
【００５４】
受信判断部７０１は、後述する駐車管理サーバ１からカード番号の問い合わせ（図１６のＳ７５の処理）を受信したかを判断する。
【００５５】
カード番号取得部７０２は、駐車管理サーバ１からカード番号の問い合わせに含まれている車両番号に基づいて顧客情報部７４２を検索して、当該車両番号に対応付けられた複数のカード番号を取得する。
【００５６】
カード番号送信部７０３は、カード番号取得部７０２が取得したカード番号を受信した車両番号に対応づけて、駐車管理サーバ１に送信する。
【００５７】
次に、顧客サーバ７の制御処理の流れについて説明する。図１２は、顧客サーバ７の制御処理の流れを示すフローチャートである。図１２に示すように、受信判断部７０１は、駐車管理サーバ１から車両番号を含むカード番号の問い合わせを受信したかを判断する（Ｓ５１）。受信するまで待機し（Ｓ５１のＮｏ）、受信判断部７０１が、カード番号の問い合わせを受信したと判断した場合には（Ｓ５１のＹｅｓ）、カード番号取得部７０２は、受信した問い合わせに含まれる車両番号に基づいて顧客情報部７４２を検索して、当該車両番号に対応付けられた複数のカード番号を取得する（Ｓ５２）。そして、カード番号送信部７０３は、カード番号取得部７０２が取得したカード番号を、受信した車両番号に対応づけて駐車管理サーバ１に送信する（Ｓ５３）。そして制御部７００は、Ｓ５１に戻る。
【００５８】
次に、ＰＯＳ端末５の機能構成について説明する。図１３は、ＰＯＳ端末５の機能構成を示す機能ブロック図である。図１３に示すように、制御部５００は、カード番号判断部５０１、カード番号記憶部５０２、商品情報判断部５０３、売上登録処理部５０４、決済判断部５０５、決済処理部５０６、送信部５０７として機能する。
【００５９】
カード番号判断部５０１は、カード読取部６２がカードを読み取ることでカード番号が取得されたかを判断する。カード番号記憶部５０２は、カード番号判断部５０１が取得したと判断したカード番号を、商品情報部５３１に記憶する。
【００６０】
商品情報判断部５０３は、シンボル読取部６１が商品に付されたシンボルを読み取り、対応する商品コードを取得したかを判断する。売上登録処理部５０４は、商品情報判断部５０３が取得したと判断した商品コードに基づいて、当該商品の売上登録処理を実行する。売上登録処理部５０４は、売上登録処理した商品の商品情報を、商品情報部５３１に記憶する。
【００６１】
決済判断部５０５は、決済キー５９１が操作されたかを判断する。決済処理部５０６は、決済判断部５０５が、決済キー５９１が操作されたと判断した場合に、売上登録処理された商品について決済処理を実行する。送信部５０７は、決済処理した商品の購入金額を、カード番号記憶部５０２が記憶したカード番号に対応付けて、駐車管理サーバ１に送信する。
【００６２】
次に、ＰＯＳ端末５の制御処理の流れについて説明する。図１４は、ＰＯＳ端末５の制御処理の流れを示すフローチャートである。図１４に示すように、カード番号判断部５０１は、カード番号を取得したかを判断する（Ｓ６１）。カード番号を取得したと判断した場合には（Ｓ６１のＹｅｓ）、カード番号記憶部５０２は、取得したカード番号を、商品情報部５３１に記憶する（Ｓ６２）。そして制御部５００は、Ｓ６１に戻る。
【００６３】
また、カード番号の取得ではないと判断した場合には（Ｓ６１のＮｏ）、商品情報判断部５０３は、商品の商品コードを取得したかを判断する（Ｓ６３）。商品の商品コードを取得したと判断した場合には（Ｓ６３のＹｅｓ）、売上登録処理部５０４は、取得した商品コードに基づいて、当該商品の売上登録処理を実行する（Ｓ６４）。また、売上登録処理部５０４は、売上登録処理した商品の商品情報を、商品情報部５３１に記憶する。そして制御部５００は、Ｓ６１に戻る。
【００６４】
また、商品コードの取得ではないと判断した場合には（Ｓ６３のＮｏ）、決済判断部５０５は、決済キー５９１が操作されたかを判断する（Ｓ６５）。決済キー５９１が操作されたと判断した場合には（Ｓ６５のＹｅｓ）、決済処理部５０６は、売上登録処理された商品について決済処理を実行する（Ｓ６６）。そして、送信部５０７は、決済処理した商品の合計の購入金額を、カード番号記憶部５０２が記憶したカード番号に対応付けて、駐車管理サーバ１に送信する（Ｓ６７）。そして制御部５００は、Ｓ６１に戻る。
【００６５】
次に、駐車管理サーバ１の機能構成について説明する。図１５は、駐車管理サーバ１の機能構成を示す機能ブロック図である。駐車管理サーバ１の制御部１００は、車両番号・入庫時刻取得部１０１、カード番号判断部１０２、カード番号記憶部１０３、カード番号問い合わせ部１０４、カード番号受信判断部１０５、カード番号記憶部１０６、車両番号・出庫時刻取得部１０７、駐車時間算出部１０８、駐車料金算出部１０９、送信部１１０、決済判断部１１１、購入金額記憶部１１２として機能する。
【００６６】
車両番号・入庫時刻取得部１０１（第１車両特定情報取得部）は、受信した入庫時刻と車両番号を取得する。カード番号判断部１０２は、ゲート装置３がＳ２４で送信したカード番号を受信したかを判断する。カード番号記憶部１０３（顧客特定情報取得部）は、受信したカード番号をカード番号Ｄ部１３１７に記憶する。
【００６７】
カード番号問い合わせ部１０４は、車両番号・入庫時刻取得部１０１が受信した車両番号に基づいて、顧客サーバ７に対し、当該車両番号に対応付けられたカード番号を問い合わせる。カード番号受信判断部１０５（顧客特定情報取得部）は、問い合わせに対する応答として複数のカード番号を受信したかを判断する。カード番号記憶部１０６（顧客特定情報記憶部）は、カード番号受信判断部１０５が受信したと判断した複数のカード番号を、カード番号Ａ部１３１４〜カード番号Ｃ部１３１６に、それぞれ記憶する。２種類のカード番号を受信した場合には、カード番号Ａ部１３１４とカード番号Ｂ部１３１５に記憶する。３種類のカード番号を受信した場合には、カード番号Ａ部１３１４とカード番号Ｂ部１３１５とカード番号Ｃ部１３１６に記憶する。
【００６８】
車両番号・出庫時刻取得部１０７は、（第２車両特定情報取得部）は、受信した出庫時刻と車両番号を取得する。駐車時間算出部１０８（駐車時間算出部）は、車両番号・入庫時刻取得部１０１が受信した入庫時刻と車両番号・出庫時刻取得部１０７が受信した出庫時刻とに基づいて、受信した車両番号の車の駐車時間を算出する。駐車料金算出部１０９（駐車料金算出部）は、駐車時間算出部１０８が算出した駐車時間と、駐車料金部１４２に記憶されている駐車料金に基づいて、当該車の駐車料金を算出する。後述する商品の購入金額の合計金額に基づいて駐車料金の値引きが適用される場合には、駐車料金算出部１０９は、駐車時間算出部１０８が算出した駐車時間と、合計金額部１３２２に記憶されている合計金額と、駐車料金部１４２に記憶されている駐車料金と、に基づいて、当該車の駐車料金を算出する。送信部１１０（出力部）は、駐車料金算出部１０９が算出した駐車料金をゲート装置３に送信する。
【００６９】
決済判断部１１１は、ＰＯＳ端末５から、カード番号と決済処理された商品の購入金額を受信したかを判断する。購入金額記憶部１１２は、決済判断部１１１が受信したと判断したカード番号に基づいて、対応する購入金額部（購入金額部１３１８〜購入金額部１３２１のいずれか）に購入金額を加算記憶する。また、購入金額記憶部１１２（合計金額記憶部）は、購入金額部に記憶した購入金額を、合計金額部１３２２に加算記憶する。すなわち、購入金額記憶部１１２は、対応付けられたカード番号別に、当該カード番号のカードを使用して購入したすべての商品の購入金額が記憶される。また、合計金額部１３２２は、すべての購入金額部に記憶された商品の購入金額の合計金額が記憶される。
【００７０】
次に、駐車管理サーバ１の制御処理の流れについて説明する。図１６は、駐車管理サーバ１の制御処理の流れを示すフローチャートである。図１６に示すように、車両番号・入庫時刻取得部１０１は、ゲート装置３から入庫時刻と車両番号を受信したかを判断する（Ｓ７１）。ゲート装置３から入庫時刻と車両番号を受信したと判断した場合には（Ｓ７１のＹｅｓ）、車両番号・入庫時刻取得部１０１（第１車両特定情報取得部）は、受信した入庫時刻と車両番号を取得する。
【００７１】
次に、カード番号判断部１０２は、ゲート装置３がＳ２４で送信したカード番号を受信したかを判断する（Ｓ７２）。カード番号を受信したと判断した場合には（Ｓ７２のＹｅｓ）、カード番号記憶部１０３（顧客特定情報取得部）は、受信したカード番号をカード番号Ｄ部１３１７に記憶する（Ｓ７３）。次に、制御部１００は、取得した車両番号を車両番号部１３１１に記憶し、取得した入庫時刻を入庫時刻部１３１２に記憶する（Ｓ７４）。次に、カード番号問い合わせ部１０４は、車両番号・入庫時刻取得部１０１が受信した車両番号に基づいて、顧客サーバ７に対し、当該車両番号に対応付けられたカード番号を問い合わせる（Ｓ７５）。そして、カード番号受信判断部１０５（顧客特定情報取得部）は、問い合わせに対する応答として複数のカード番号を受信したかを判断する（Ｓ７６）。複数のカード番号を受信するまで待機し（Ｓ７６のＮｏ）、複数のカード番号を受信したと判断した場合には（Ｓ７６のＹｅｓ）、カード番号記憶部１０６（顧客特定情報記憶部）は、カード番号受信判断部１０５が受信したと判断した複数のカード番号を、カード番号Ａ部１３１４〜カード番号Ｃ部１３１６にそれぞれ記憶する（Ｓ７７）。そして制御部１００は、Ｓ７１に戻る。
【００７２】
なお、Ｓ７２において、カード番号判断部１０２が、カード番号を受信していないと判断した場合には（Ｓ７２のＮｏ）、制御部１００は、Ｓ７３の処理を実行することなくＳ７４以降の処理を実行する。
【００７３】
一方、Ｓ７１において、車両番号・入庫時刻取得部１０１が、入庫時刻および車両番号の受信ではないと判断した場合には（Ｓ７１のＮｏ）、決済判断部１１１は、ＰＯＳ端末５から、カード番号と決済処理された商品の購入金額を受信したかを判断する（Ｓ８１）。カード番号と決済処理された商品の購入金額を受信したと判断した場合には（Ｓ８１のＹｅｓ）、購入金額記憶部１１２は、受信したカード番号に対応付けられた購入金額部（購入金額部１３１８〜購入金額部１３２１のいずれか）に、受信した購入金額を加算記憶する（Ｓ８２）。そして、購入金額記憶部１１２（合計金額記憶部）は、Ｓ８２で購入金額部に記憶した購入金額を、合計金額部１３２２に加算記憶する（Ｓ８３）。そして制御部１００は、Ｓ７１に戻る。
【００７４】
また、Ｓ８１において、カード番号と決済処理された商品の購入金額の受信ではないと判断した場合には（Ｓ８１のＮｏ）、車両番号・出庫時刻取得部１０７は、ゲート装置３から出庫時刻と車両番号を受信したかを判断する（Ｓ９１）。ゲート装置３から出庫時刻と車両番号を受信したと判断した場合には（Ｓ９１のＹｅｓ）、車両番号・出庫時刻取得部１０７（第２車両特定情報取得部）は、受信した出庫時刻と車両番号を取得する。そして制御部１００は、取得した車両番号に基づいて、取得した出庫時刻を出庫時刻部１３１３に記憶する（Ｓ９２）。
【００７５】
次に、駐車時間算出部１０８（駐車時間算出部）は、車両番号・入庫時刻取得部１０１が受信した入庫時刻と車両番号・出庫時刻取得部１０７が受信した出庫時刻とに基づいて、受信した車両番号の車の駐車時間を算出する（Ｓ９３）。次に、駐車料金算出部１０９（駐車料金算出部）は、駐車時間算出部１０８が算出した駐車時間、合計金額部１３２２に記憶されている合計金額、駐車料金部１４２に記憶されている駐車料金に基づいて、当該車の駐車料金を算出する（Ｓ９４）。そして、送信部１１０（出力部）は、駐車料金算出部１０９が算出した駐車料金をゲート装置３に送信する（Ｓ９５）。そして制御部１００は、Ｓ７１に戻る。なお、車両番号・出庫時刻取得部１０７が、ゲート装置３からの出庫時刻と車両番号の受信ではないと判断した場合には（Ｓ９１のＮｏ）、制御部１００は、Ｓ７１に戻る。
【００７６】
このような第１実施形態によれば、カード番号記憶部１０３とカード番号記憶部１０６が、車両番号と複数のカード番号とを対応付けて記憶し、購入金額記憶部１１２が、店内でこれらの複数のカードを使用して購入した商品の合計金額を記憶し、駐車料金算出部１０９が、合計金額に基づいて値引きした駐車料金を算出する。そのため、一台の車で来店した複数人の顧客が、それぞれ異なるカードを使用して買物をしても、すべての顧客の買物の合計金額に基づいて駐車料金が値引きした駐車料金を算出することができる。
【００７７】
また、第１実施形態によれば、カード番号記憶部１０６が顧客情報部７４２から取得した、予め車両番号と対応付けられているカード番号のカードに加え、カード番号記憶部１０３が記憶したカード番号のカードでした買物の購入金額も、合計金額に加算される。そのため、予め車両番号に対応付けしていないカードを持参した顧客の購入金額も、駐車料金の値引きに寄与することができる。
【００７８】
なお、顧客サーバ７に顧客情報部を設けずに、カード番号記憶部１０３が記憶した複数のカード番号のみに基づいて合計金額を算出するようにしてもよい。この場合、カード番号Ｄ部１３１７と、カード番号Ｄ部１３１７に対応する購入金額部１３２１を、複数組設けることで実現できる。
【００７９】
（第２実施形態）
ここからは、第２実施形態について説明する。第２実施形態では、駐車料金算出部１０９は、合計金額部１３２２に記憶された合計金額に基づいて駐車料金を算出するのではなく、予め定められた優先順位に基づいて購入金額を定め、定められた購入金額に基づいて駐車料金を算出する。
【００８０】
定められた優先順位とは、例えば、購入金額が大きい順である。例えば、定められた優先順位を購入金額が最も大きいカード番号の購入金額とした場合、駐車料金算出部１０９は、購入金額部１３１８〜購入金額部１３２１に記憶された購入金額のうち、最も高額な購入金額に基づいて値引き額を算出して駐車料金を算出する。
【００８１】
また、定められた優先順位とは、例えば、使用するカードの優先順位が決められた場合の購入金額である。実施形態において、カード番号Ａ部１３１４に記憶されたカードが優先順位１位であり、カード番号Ｂ部１３１５に記憶されたカードが優先順位２位であり、カード番号Ｃ部１３１６に記憶されたカードが優先順位３位であり、カード番号Ｄ部１３１７に記憶されたカードが優先順位４位であるとする。この場合、優先順位１位のカード番号Ａ部１３１４に対応付けられた購入金額部１３１８に購入金額が記憶されている場合は、駐車料金算出部１０９は、購入金額部１３１８に記憶されている購入金額に基づいて駐車料金を算出する。購入金額部１３１８に購入金額が記憶されていない（０円）場合は、優先順位２位のカード番号Ｂ部１３１５に対応付けられた購入金額部１３１９に購入金額が記憶されている場合は、駐車料金算出部１０９は、購入金額部１３１９に記憶されている購入金額に基づいて駐車料金を算出する。購入金額部１３１９にも購入金額が記憶されていない（０円）場合は、優先順位３位のカード番号Ｃ部１３１６に対応付けられた購入金額部１３２０に購入金額が記憶されている場合は、駐車料金算出部１０９は、購入金額部１３２０に記憶されている購入金額に基づいて駐車料金を算出する。購入金額部１３２０にも購入金額が記憶されていない（０円）場合は、優先順位４位のカード番号Ｄ部１３１７に対応付けられた購入金額部１３２１に購入金額が記憶されている場合は、駐車料金算出部１０９は、購入金額部１３２１に記憶されている購入金額に基づいて駐車料金を算出する。
【００８２】
このような第２実施形態によれば、カード番号記憶部１０３とカード番号記憶部１０６が、車両番号と複数のカード番号とを対応付けて記憶し、購入金額記憶部１１２が、店内でこれらの複数のカードに対応したそれぞれの購入金額を記憶し、駐車料金算出部１０９が、優先順位で決定された購入金額に基づいて値引きした駐車料金を算出する。そのため、一台の車で来店した複数人の顧客が、それぞれ異なるカードを使用して買物をした場合に、特定の購入金額に基づいて駐車料金が値引きした駐車料金を算出することができる。
【００８３】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【００８４】
例えば、実施形態では、駐車料金を算出する際に、料金を値引きしたが、駐車料金を算出する際に、料金を割引きするようにしてもよい。
【００８５】
また、実施形態では、駐車管理サーバ１とゲート装置３と顧客サーバ７を別体の装置として説明したが、これらの装置は適宜機能を合体させた装置であってもよい。例えば、駐車管理サーバ１の機能と顧客サーバ７の機能を合体した一つのサーバとしてもよい。
【００８６】
また、実施形態では、複数の店舗Ｔを備えたショッピングセンターＳとして説明した。しかしながら、一つの店舗Ｔにおいて複数のカードを使用した状況であっても本発明を適用することができる。
【００８７】
また、実施形態では、顧客特定情報としてカード番号を記憶したカードを用いて説明した。しかしながら、顧客特定情報は、カード以外の媒体（例えばスマートフォン）に記憶されている、顧客を特定する情報であってもよい。
【００８８】
また、実施形態では、車両の一例として車を用いて説明したが、複数人の顧客が一度に乗車できる車両であれば、車以外の車両であってもよい。
【００８９】
なお、実施形態の駐車管理サーバ１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００９０】
また、実施形態の駐車管理サーバ１で実行されるプログラムを、インターネット等のネットワークに接続されたコンピュータ上に格納し、ネットワーク経由でダウンロードさせることにより提供するように構成しても良い。また、実施形態の駐車管理サーバ１で実行されるプログラムをインターネット等のネットワーク経由で提供または配布するように構成しても良い。
【００９１】
また、実施形態の駐車管理サーバ１で実行されるプログラムを、ＲＯＭ等に予め組み込んで提供するように構成してもよい。
【符号の説明】
【００９２】
１          駐車管理サーバ
３          ゲート装置
５          ＰＯＳ端末
７          顧客サーバ
１００      制御部
１０１      車両番号・入庫時刻取得部
１０３      カード番号記憶部
１０５      カード番号受信判断部
１０６      カード番号記憶部
１０７      車両番号・出庫時刻取得部
１０８      駐車時間算出部
１０９      駐車料金算出部
１１２      購入料金記憶部
１３１      駐車料金情報部
１４２      駐車料金部
３００      制御部
５００      制御部
７００      制御部
７４２      顧客情報部
【先行技術文献】
【特許文献】
【００９３】
【特許文献１】特開２０１０−２８６９２９号公報
【図１】
2019128780.tif 000003
【図２】
2019128780.tif 000004
【図３】
2019128780.tif 000005
【図４】
2019128780.tif 000006
【図５】
2019128780.tif 000007
【図６】
2019128780.tif 000008
【図７】
2019128780.tif 000009
【図８】
2019128780.tif 000010
【図９】
2019128780.tif 000011
【図１０】
2019128780.tif 000012
【図１１】
2019128780.tif 000013
【図１２】
2019128780.tif 000014
【図１３】
2019128780.tif 000015
【図１４】
2019128780.tif 000016
【図１５】
2019128780.tif 000017
【図１６】
2019128780.tif 000018